(57)【特許請求の範囲】
【請求項１】
グリップ１１を設けたグリップセグメント１０と、複数個から構成され、互いに引張及び収縮されるように構成され、前記グリップセグメント１０の前方から出没する引張及び収縮セグメント部２０と、前記引張及び収縮セグメント部２０の第１の一端に形成された回転スイベル３０と、前記回転スイベル３０に一端が固定され、他端は釣り針４０が固定された釣り糸５０で構成された石の間隙用釣竿において、
前記引張及び収縮セグメント部２０は第２のセグメント２０ｂ内で第１のセグメント２０ａが出没する２段で構成され、回動部２１は前記引張及び収縮セグメント部２０の第１のセグメント２０ａの後方に形成され、回動溝２２は回動部２１が挿入されるように形成し、前記回動部２１及び前記回動溝２２に貫通された回動ピン２３の外側には支持部２４を形成し、前記支持部２４は前記引張及び収縮セグメント部２０の第２のセグメント２０ｂの前方の出入孔２０ｂ'から出没するように構成され、前記引張及び収縮セグメント部２０の第１のセグメント２０ａの後方は、前記引張及び収縮セグメント部２０の第２のセグメント２０ｂの前方で折り曲げられることを特徴とする、前方が折り曲げ可能な石の間隙用釣竿。
【請求項２】
前記第２のセグメント２０ｂの内側周縁には複数個の係止突起２５が形成され、前記係止突起２５に係止されるように、前記支持部２４の後方の外側周縁に係止部２６が形成されることを特徴とする、請求項１に記載の前方が折り曲げ可能な石の間隙用釣竿。
【請求項３】
前記支持部２４の外側周縁に結合部２７が形成され、前記支持部２４が前記第２のセグメント２０ｂの内側で回転する際、共に回転される前記結合部２７と結合されるように前記第２のセグメント２０ｂの内側周縁に結合溝２８が形成されることを特徴とする、請求項１に記載の前方が折り曲げ可能な石の間隙用釣竿。
【請求項４】
前記結合部２７が回転され、前記結合溝２８内に結合する際、前記結合部２７が前記結合溝２８内から離脱されないように、前記結合溝２８の後方の一側に離脱防止片２９が形成されることを特徴とする、請求項３に記載の前方が折り曲げ可能な石の間隙用釣竿。
【請求項５】
前記回転スイベル３０の下部に形成された挿入口３１は、前記引張及び収縮セグメント部２０の第１のセグメント２０ａの一端に結合された固定栓３２に形成された通孔３３に挿入されて設けられ、前記挿入口３１は、前記通孔３３の内部に挿入され、前記通孔３３内に露出された前記挿入口３１の下端に一体に形成された係止固定部３４で構成され、前記回転スイベル３０の前記挿入口３１の外側周縁は前記通孔３３の内側周縁で回動されることを特徴とする、請求項１に記載の前方が折り曲げ可能な石の間隙用釣竿。
【請求項６】
引張及び収縮セグメント部２０の第１の一端に形成された回転スイベル３０と；前記回転スイベル３０に一端が固定され、他端は釣り針４０が固定された釣り糸５０で構成され、前記回転スイベル３０の下部に形成された挿入口３１は、前記引張及び収縮セグメント部２０の第１のセグメント２０ａの一端に結合された固定栓３２に形成された通孔３３に挿入されて設けられ、前記挿入口３１は、前記通孔３３の内部に挿入され、前記通孔３３内に露出された前記挿入口３１の下端に一体に形成された係止固定部３４で構成され、前記回転スイベル３０の前記挿入口３１の外側周縁は前記通孔３３の内側周縁で回動され、前記固定栓３２は内部に挿入部３２ｂが形成され、下端の周縁には傾斜部３２ａが形成される石の間隙用釣竿において、グリップ１１を設けたグリップセグメント１０と；複数個から構成され、互いに引張及び収縮されるように構成され、前記グリップセグメント１０の前方から出没する引張及び収縮される２段のセグメント部２０と；前記グリップ１１にゴムバンド１０ｂと収縮ゴムバンド１１ｂで構成され、前記ゴムバンド１０ａに前記釣り針を固定するように構成され、前記グリップセグメント１０は、後方の内部に挿入される後方挿入口６１を有する栓６０で構成され、前記釣り糸５０は、長さが４ｃｍ〜６ｃｍで構成されることを特徴とする、請求項１に記載の前方が折り曲げ可能な石の間隙用釣竿。
【発明の詳細な説明】
【技術分野】
【０００１】
本発明は、前方が折り曲げ可能な石の間隙用釣竿に関し、より詳しくは、第１のセグメントが第２のセグメントから出没し、折り曲げられる釣竿の前方を折り曲げ、川の石の間隙の下部や石の間隙、または海の防波堤の石の間隙の下部、または石の間隙に集まって来た魚を、重りと浮き無しに前方が折り曲げ可能な石の間隙用釣竿の釣り針により容易に捕ることができるようにし、魚を釣った際、魚が暴れることを回転スイベルの回動により吸収して、誰でも容易かつ便利に魚を釣ることができ、魚を釣る際に魚の当たりが感じられるようにした、前方が折り曲げ可能な石の間隙用釣竿に関する。
【背景技術】
【０００２】
一般的な釣竿１は、図１に示すように、多段のセグメント２からなり、第１のセグメント２ａの一端に釣り糸３が固定され、釣り糸３の下端に固定された釣り針４と、釣り針４の上部に位置し、前記釣り糸３に固定された重り３ａと、前記重り３ａの上部に位置し、前記釣り糸３に固定された浮き３ｂと、で構成される。
【０００３】
このような釣竿１は、セグメント２の長さが長く、淡水、海、湖から魚を釣ることができるように構成され、その釣竿１に設けられる釣り糸３に浮き３ｂと重り３ａが設けられ、流れる淡水（谷や川）の石の間隙や石の間隙の下部に集まって来た魚を釣ることができる釣竿１として構成されることができない問題があった。
【０００４】
また、グリップセグメントと引張及び収縮セグメントの一端に固定された固定栓において回動される回転スイベルに釣り糸が固定され、釣り糸の他端に設けられた釣り糸により淡水の石の間隙、または海の防波堤の石の間隙の下部に集まって来た魚を捕ることができる石の間隙用釣竿が提供されることができない問題があった。
【０００５】
また、前記釣竿１の第１のセグメント２ａに前記釣り糸３を結んで固定した後、前記釣り糸３を改めて解くことができない問題、及び前記釣り糸３を前記第１のセグメント２ａにおいて解く途中で前記第１のセグメント２ａの前方が折れてしまう問題があった。
【０００６】
上記のような問題点を克服するために、図２に示すように、本願の出願人は、大韓民国特許出願第１０−２０１２−１１０３６６号「石の間隙用釣竿」を出願することで、淡水や海の石の間隙や石の間隙の下部に集まって来た魚を容易に捕ることができるようにしたところ、前記石の間隙用釣竿４００の前方を石の間隙や石の間隙の下部に入れた場合、石の間隙や石の間隙の下部に石の間隙用釣竿４００の引張及び収縮セグメント部２００の第１のセグメント２００ａが容易に折り曲げられ入れられないように構成されており、石の間隙用釣竿４００の引張及び収縮セグメント部２００の第１のセグメント２００ａを石の間隙や石の間隙の下部に入れた場合、第１のセグメント２００ａが石の間隙や石の間隙の下部に係止され、第１のセグメント２００ａが折れてしまう問題があった。
【先行技術文献】
【特許文献】
【０００７】
【特許文献１】大韓民国実用新案登録第２０−０３６８１０１号
【特許文献２】大韓民国実用新案登録第２０−０３２４６９３号
【特許文献３】大韓民国実用新案登録第２０−０２９２５６７号
【発明の概要】
【発明が解決しようとする課題】
【０００８】
上記のような問題点を解決するため、本発明は、第１のセグメントの後方の回動部と、回動部が結合される回動溝と、を有し、回動部と回動溝に貫通される回動ピンで構成された支持部と、支持部が第２のセグメントの前方の出入孔から出没し、第１のセグメントが第２のセグメントにおいて折り曲げられる釣竿の前方を折り曲げ、川の石の間隙の下部や石の間隙、または海の防波堤の石の間隙の下部、または石の間隙に集まって来た魚を、重りと浮き無しに前方が折り曲げ可能な石の間隙用釣竿の釣り針により、釣りに対する高度の技術を必要とせず容易に捕ることができるようにし、魚を釣った際、魚が暴れることを回転スイベルの回動により吸収して、誰でも容易かつ便利に魚を釣ることができ、魚を釣る際に魚の当たりが感じられるようにした、前方が折り曲げ可能な石の間隙用釣竿を提供することにその目的がある。
【課題を解決するための手段】
【０００９】
このような目的を達成するため、本発明は、グリップ１１を設けたグリップセグメント１０と、複数個から構成され、互いに引張及び収縮されるように構成され、前記グリップセグメント１０の前方から出没する引張及び収縮セグメント部２０と、前記引張及び収縮セグメント部２０の第１の一端に形成された回転スイベル３０と、前記回転スイベル３０に一端が固定され、他端は釣り針４０が固定された釣り糸５０で構成された石の間隙用釣竿において、図３、図５において、前記引張及び収縮セグメント部２０の第１のセグメント２０ａの後方に形成された回動部２１と、前記回動部２１が挿入されるように回動溝２２を形成し、前記回動部２１及び回動溝２２に貫通された回動ピン２３で構成された支持部２４が前記引張及び収縮セグメント部２０の第２のセグメント２０ｂの前方の出入孔２０ｂ'から出没するように構成され、前記引張及び収縮セグメント部２０の第１のセグメント２０ａの後方は、前記引張及び収縮セグメント部２０の第２のセグメント２０ｂの前方で折り曲げられることを特徴とする。
【００１０】
また、前記第２のセグメント２０ｂの内側周縁には複数個の係止突起２５が形成され、前記係止突起２５に係止されるように、前記支持部２４の後方の外側周縁に係止部２６が形成されることを特徴とする。
【００１１】
さらに、前記支持部２４の外側周縁に結合部２７が形成され、前記支持部２４が前記第２のセグメント２０ｂの内側で回転する際、共に回転される前記結合部２７と結合されるように前記第２のセグメント２０ｂの内側周縁に結合溝２８が形成されることを特徴とする。
【００１２】
尚、前記結合部２７が回転され、前記結合溝２８内に結合する際、前記結合部２７が前記結合溝２８内から離脱されないように、前記結合溝２８の後方の一側に離脱防止片２９が形成されることを特徴とする。
【００１３】
また、ゴムバンド１０ｂと収縮ゴムバンド１１ｂで構成された前記グリップ１１の前方の周縁に形成された安着溝１０ａと、前記安着溝１０ａの後方に安着される収縮ゴムバンド１１ｂと掛け部１１ｃで構成されることを特徴とする。
【００１４】
また、前記回転スイベル３０の下部に形成された挿入口３１は、前記引張及び収縮セグメント部２０の第１のセグメント２０ａの一端に結合された固定栓３２に形成された通孔３３に挿入されて設けられ、前記挿入口３１は、前記通孔３３の内部に挿入され、前記通孔３３内に露出された前記挿入口３１の下端に一体に形成された係止固定部３４で構成され、前記回転スイベル３０の前記挿入口３１の外側周縁は前記通孔３３の内側周縁で回動されることを特徴とする。
【発明の効果】
【００１５】
本発明は、第１のセグメントの後方の回動部と、回動部が結合される回動溝と、を有し、回動部と回動溝に貫通される回動ピンで構成された支持部と、支持部が第２のセグメントの前方の出入孔から出没し、第１のセグメントが第２のセグメントにおいて折り曲げられる釣竿の前方を折り曲げ、川の石の間隙の下部や石の間隙、または海の防波堤の石の間隙の下部、または石の間隙に集まって来た魚を、重りと浮き無しに前方が折り曲げ可能な石の間隙用釣竿の釣り針により、釣りに対する高度の技術を必要とせず容易に捕ることができるようにする効果がある。
【００１６】
また、本発明の石の間隙用釣竿により魚を釣った際、魚が暴れることを回転スイベルの回動により吸収して、誰でも容易かつ便利に魚を釣ることができ、魚を釣る際に魚の当たりが感じられる効果がある。
【００１７】
尚、本発明の引張及び収縮セグメント部の第１のセグメントの前方に回転スイベルを設けた固定栓を設け、回転スイベルに釣り糸が結合及び離脱されることを容易にして、従来の釣竿の第１のセグメントに釣り糸を結合及び分離する際の問題を克服する効果があり、従来の釣竿の第１のセグメントの前方が折れてしまった場合、本発明の回転スイベルを設けた固定栓を代替使用することができるという効果がある。
【図面の簡単な説明】
【００１８】
【図１】従来の釣竿を示す概略図である。
【図２】従来の石の間隙用釣竿を示す概略図である。
【図３】本発明に係る概略図である。
【図４】本発明に係る回転スイベルを示す概略断面図である。
【図５】本発明に係る第１のセグメントと支持部を示す概略断面図である。
【図６】本発明に係る作用を示す概略断面図である。
【図７】本発明に係る作用を示す概略断面図である。
【図８】本発明に係る作用を示す概略断面図である。
【図９】本発明に係る実施の形態を示す図である。
【図１０】本発明に係る使用状態を示す図である。
【図１１】本発明に係る回転スイベルの挿入口が通孔に結合された概略断面図である。
【図１２】本発明に係る釣竿を窄めた状態を示す概略図である。
【発明を実施するための形態】
【００１９】
本発明の充分な理解のため、本発明の好ましい実施の形態を、添付した図面を参照して説明する。
【００２０】
本発明の実施の形態は、様々な形態に変形されることができ、本発明の範囲が以下で詳しく説明する実施の形態に限定されると解釈してはいけない。本発明の実施の形態は、当業界において平均的な知識を持った者に、本発明をより安全に説明するために提供するものである。
【００２１】
従って、図面における要素の形状などは、より明確な説明を強調するために誇張して表現されている可能性がある。各図面において、同一部材は同一の参照符号に示している場合があることを留意して欲しい。
【００２２】
また、本発明の要旨を不要に不明にする可能性があると判断される公知機能及び構成に対する詳細な技術は省略する。
【００２３】
図３は、本発明に係る概略図であり、図４は、本発明に係る回転スイベルを示す概略断面図であり、図５は、本発明に係る第１のセグメントと支持部を示す概略断面図であり、図６〜図８は、本発明に係る作用を示す概略断面図であり、図９は、本発明に係る実施の形態を示す図であり、図１０は、本発明に係る使用状態を示す図である。
【００２４】
本発明に係る前方が折り曲げ可能な石の間隙用釣竿を、図３〜図１０を参考して詳細に説明すると、次のようである。
【００２５】
主に、谷や川の淡水において使用される石の間隙用釣竿は、グリップ１１を設けたグリップセグメント１０と、複数個から構成され、互いに引張及び収縮されるように構成され、前記グリップセグメント１０の前方から出没する引張及び収縮セグメント部２０と、で構成される。
【００２６】
前記引張及び収縮セグメント部２０は複数個から構成され、互いに引張及び収縮されるように構成される。
【００２７】
このような前記引張及び収縮セグメント部２０は、前記グリップセグメント１０の前方から出没し、長さが可変するように構成される。
【００２８】
＊また、前記引張及び収縮セグメント部２０は、２段で構成されることが望ましい。
【００２９】
つまり、第１のセグメント２０ａと第２のセグメント２０ｂで構成し、第２のセグメント２０ｂ内で第１のセグメント２０ａの外側が出没し、第１のセグメント２０ａの外側は前記グリップセグメント１０内から出没するように構成される。
【００３０】
上記のように、前記グリップセグメント１０と、前記引張及び収縮セグメント部２０は、２段で構成することは、流れる淡水にある石の間隙や石の間隙の下部に集まって来た魚を容易に捕ることができる最適の長さで構成し、前記釣り糸５０の長さは５ｃｍで構成した釣竿として、使用者が釣竿により石の間隙の下部や石の間隙に集まって来た魚を釣った際、最適の魚の当たりが感じられるようにするためである。
【００３１】
また、前記引張及び収縮セグメント部２０の第１の一端に形成された回転スイベル３０で構成される。
【００３２】
前記回転スイベル３０に一端が固定され、他端は釣り針４０が固定された釣り糸５０で構成される。
【００３３】
また、前記釣り糸５０の長さは、４ｃｍ〜６ｃｍで構成することができるが、前記釣り糸５０の長さを５ｃｍで構成することが望ましい。
【００３４】
一方、前記釣り糸５０の長さを４ｃｍ〜６ｃｍで構成することは、谷や川の石の間隙の下部や石の間隙に、本発明の釣竿と共に前記釣り糸５０を挿入し、石の間隙の下部や石の間隙に集まって来た魚を最適に捕ることができる釣竿及び釣り針の長さで構成するようにするためである。
【００３５】
上記のような石の間隙用釣竿において、前記引張及び収縮セグメント部２０の第１のセグメント２０ａの後方に形成された回動部２１で構成される。
【００３６】
前記回動溝２２は回動部２１が挿入されるように形成し、支持部２４は前記回動部２１及び回動溝２２に貫通された回動ピン２３で構成され、前記支持部２４は前記引張及び収縮セグメント部２０の第２のセグメント２０ｂの前方の出入孔２０ｂ'から出没するように構成される。
【００３７】
前記引張及び収縮セグメント部２０の第１のセグメント２０ａの後方が、前記引張及び収縮セグメント部２０の第２のセグメント２０ｂの前方で折り曲げられるように構成される。
【００３８】
上記のように、前記第１のセグメント２０ａが前記第２のセグメント２０ｂで折り曲げられるようにすることは、淡水である川や海の石の間隙や石の間隙の下部に、前記回転スイベル３０と前記釣り糸５０及び釣り針４０を容易に入れ、石の間隙や石の間隙の下部に集まっている魚を容易に捕るようにするためである。
【００３９】
つまり、釣りをする者が、本発明の前方が折り曲げ可能な石の間隙用釣竿１００を、立ったまま釣りをする者の身を曲げたり、左右に動きたりしないで、本発明の石の間隙用釣竿の前記第１のセグメント２０ａと、前記第１のセグメント２０ａに設けられた前記回転スイベル３０、釣り針４０、釣り糸５０を、石の間隙や石の間隙の下部に便利に入れ、前記釣り針４０により石の間隙や石の間隙の下部に集まって来た魚を容易に釣って捕ることができるようにするためである。
【００４０】
また、前記第２のセグメント２０ｂの内側周縁には、複数個の係止突起２５が形成される。
【００４１】
前記係止突起２５に係止されるように、前記支持部２４の後方の外側周縁に係止部２６が形成されて構成される。
【００４２】
＊このように、前記係止突起２５の後方に前記係止部２６が構成され、前記支持部２４を有する前記第１のセグメント２０ａの後方が前記第２のセグメント２０ｂの前方にさらに突き出されないようにするためである。
【００４３】
また、前記支持部２４の外側周縁に結合部２７が形成されて構成される。
【００４４】
前記支持部２４が前記第２のセグメント２０ｂの内側で回転する際、共に回転される前記結合部２７と結合されるように前記第２のセグメント２０ｂの内側周縁に結合溝２８が形成されて構成される。
【００４５】
そして、前記結合部２７が回転され、前記結合溝２８内に結合する際、前記結合部２７が前記結合溝２８内から離脱されないように、前記結合溝２８の後方の一側に離脱防止片２９が形成されて構成される。
【００４６】
上記のように、前記結合部２７が前記支持部２４と共に回転され、前記結合溝２８に容易に挿入され、前記支持部２４が設けられた前記第１のセグメント２０ａの後方の外側周縁が、前記結合溝２８を有する前記第２のセグメント２０ｂの内側周縁に固定されるようにするためである。
【００４７】
そして、前記結合溝２８の後方の一側に前記離脱防止片２９を形成することは、前記結合部２７が前記支持部２４と共に回転する際、前記結合部２７が前記結合溝２８から離脱されないようにして、前記結合部２７が前記結合溝２８に安定的に結合及び離脱されるようにするためである。
【００４８】
一方、ゴムバンド１０ｂと収縮ゴムバンド１１ｂで構成された前記グリップ１１の前方の周縁に形成された安着溝１０ａと、前記安着溝１０ａに安着される収縮ゴムバンド１１ｂと、掛け部１１ｃと、で構成される。
【００４９】
前記バンド型掛け部１１ｃは、伸縮性のある合成樹脂材で形成され、前記安着溝１０ａがあるグリップ１１に容易に決着されるように構成される。
【００５０】
また、収縮ゴムバンド１１ｂには、夜に発光するケミライトを挟んで使用することで、夜にも釣竿の位置が確認可能であり、事故を防止して安全な釣りが可能である。
【００５１】
前記収縮ゴムバンド１１ｂとバンド型掛け部１１ｃは、掛け台（未図示）に掛け、本発明の石の間隙用釣竿を容易に保管するためのものである。
【００５２】
一方、前記回転スイベル３０の下部に形成された挿入口３１は、前記引張及び収縮セグメント部２０の第１のセグメント２０ａの一端に下部が結合された固定栓３２に形成された通孔３３に挿入されて設けられて構成される。
【００５３】
換言すると、前記固定栓３２の挿入部３２ｂは前記第１のセグメント２０ａの前方の外側周縁に挿入されて結合され、前記回転スイベル３０の前記挿入口３１は前記固定栓３２に形成された前記通孔３３に挿入される。
【００５４】
また、前記挿入口３１は、前記通孔３３の内部に挿入され、前記通孔３３内に露出された前記挿入口３１の下端に一体に形成された係止固定部３４で構成される。
【００５５】
前記回転スイベル３０の前記挿入口３１の外側周縁は、前記通孔３３の内側周縁で回動されるように構成される。
【００５６】
このように前記回転スイベル３０が前記固定栓３２において回動されることは、流れる淡水である谷や川の石の間隙の下部や石の間隙で魚を釣った際、魚が暴れることを前記回転スイベル３０の回動により吸収して、急流である淡水の石の間隙における水の流れに合わせることができ、より便利に魚を釣ることができるようにするためである。
【００５７】
前記釣り糸５０は、前記回転スイベル３０に一端が固定され、他端は釣り針４０が固定されて構成される。
【００５８】
このように、前記固定栓３２に前記回転スイベル３０を設けて、前記釣り糸５０を容易に前記回転スイベル３０に縛ってから解くことができ、従来の釣竿の第１のセグメントの前方が折れてしまった場合、前記固定栓３２を代替使用することを可能にする。
【００５９】
本発明に係る作用を説明すると、次のようである。
【００６０】
前記第１のセグメント２０ａの後方に形成された前記回動部２１（図５）と結合された前記支持部２４の後方に形成された前記係止部２６が係止され、前記第１のセグメント２０ａは前記第２のセグメント２０ａにおいて前方にさらに引き出されない。
【００６１】
先ず、前記第１のセグメント２０ａを、前記第２のセグメント２０ａにおいて、前記係止部２６が前記係止突起２５に係止されないように前方に引き出し、前記第１のセグメント２０ａを一側に回転させ、前記支持部２３に設けられた前記結合部２７が前記第２のセグメント２０ｂに形成された前記結合溝２８に合わせる。
【００６２】
この際、前記結合部２７は、前記結合溝２８に設けられた前記離脱防止片２９により、さらに回転されない。
【００６３】
そして、前記第１のセグメント２０ａを再び前方に引き出し、前記係止部２６が前記係止突起２５に係止されるようにする。
【００６４】
その後、前記第１のセグメント２０ａを下部に回動させて折り曲げる。
【００６５】
この際、前記回動部２１は、前記回動ピン２３を基盤にして前記回動溝２２で回動されられる。
【００６６】
上記のように折り曲げられた前記第１のセグメント２０ａを、淡水である川と海の石の間隙や石の間隙の下部に入れ、石の間隙や石の間隙の下部に集まって来た魚を捕るようにする。
【００６７】
前記第１のセグメント２０ａを折り曲げから水平に修復する作用、及び前記第１のセグメント２０ａを前記第２のセグメント２０ｂに挿入する作用は、上記の作用と反対にすれば良い。
【００６８】
よって、上述した本発明は、前記第１のセグメント２０ａの後方の前記回動部２１と、前記回動部２１が結合される前記回動溝２２と、を有し、前記回動部２１と回動溝２２に貫通される前記回動ピン２３で構成された前記支持部２４と、前記支持部２４が前記第２のセグメント２０ｂの前方の前記出入孔２０ｂ'から出没し、前記第１のセグメント２０ａが前記第２のセグメント２０ｂで折り曲げられる釣竿の前方を折り曲げ、川の石の間隙の下部や石の間隙、または海の防波堤の石の間隙の下部や石の間隙に集まって来た魚を、重りと浮き無しに前方が折り曲げ可能な石の間隙用釣竿の釣り針により、釣りに対する高度の技術を必要とせず容易に捕るようにするものである。
【００６９】
また、前記釣り糸５０の長さは、４ｃｍ〜６ｃｍで構成することができるが、前記釣り糸５０の長さを５ｃｍで構成することが望ましい。
【００７０】
一方、前記釣り糸５０の長さを４ｃｍ〜６ｃｍで構成することは、谷や川の石の間隙の下部や石の間隙に、本発明の釣竿と共に前記釣り糸５０を挿入し、石の間隙の下部や石の間隙に集まって来た魚を最適に捕ることができる釣竿及び釣り針の長さで構成するようにするためである。
【００７１】
よって、上述した本発明は、主に谷や川の石の間隙の下部や石の間隙に、第１のセグメント２０ａ及び第２のセグメント２０ａと前記釣り糸５０及び釣り針４０を挿入し、石の間隙の下部や石の間隙に集まって来た魚を、重りと浮き無しに石の間隙用釣竿１００の前記釣り針４０により容易に捕ることができるようにし、魚を釣った際、魚が暴れることを前記回転スイベル３０の回動により吸収して、誰でも容易かつ便利に魚を釣ることができ、魚を釣る際に魚の当たりが感じられるようにするためである。
【００７２】
上述した本発明に係る実施の形態は例示的なものに過ぎず、本発明に属する技術分野の通常の知識を持った者であれば、これらのものから多様な変形及び均等な他の実施の形態が可能であるという点が良く分かるはずである。よって、本発明は、詳細な説明において言及された形態のみに限定されるものではないことが良く理解できるだろう。
【００７３】
従って、本発明の真の技術的な保護範囲は、添付した特許登録の請求範囲の技術的思想により定めるべきである。また、本発明は、添付した請求範囲により定義される本発明の精神と、その範囲内にある全ての変形物と均等物、及び代替物を含むものと理解するべきである。
【図１】
0005837701.tif 000002
【図２】
0005837701.tif 000003
【図３】
0005837701.tif 000004
【図４】
0005837701.tif 000005
【図５】
0005837701.tif 000006
【図６】
0005837701.tif 000007
【図７】
0005837701.tif 000008
【図８】
0005837701.tif 000009
【図９】
0005837701.tif 000010
【図１０】
0005837701.tif 000011
【図１１】
0005837701.tif 000012
【図１２】
0005837701.tif 000013